(57)【要約】      （修正有）【課題】連続的にティッシュペーパーを長時間使うための手段を提供する。【解決手段】積層収納されたひとまとまりのティッシュペーパー３４を複数個縦収納可能なる上部開放有底のティッシュペーパー収納箱１２をケース本体１内にて昇降可能サイズとして設ける。ケース本体１両側面上部に、ワイヤー５を掛け渡すための回動装置部６を設け、前記ティッシュペーパー収納箱１２両側にワイヤー５の一端を取り付けるとともにこのワイヤー５を回動装置部６に掛け渡してからケース本体１外面近傍下方に垂下させ、この垂下したワイヤー５端に対し、下向きの力を常に与える引張力付勢手段３を設ける。引張力付勢手段３により、ケース本体１内最上部に位置するティッシュペーパー３４を上向きに押圧させて、ティッシュペーパー３４の常なる取り出しを可能とする。【選択図】図２
2014114075.tif 000002
【特許請求の範囲】
【請求項１】
一枚ごとに連続取り出し可能に箱もしくは包装体内に積層収納されたひとまとまりのティッシュペーパーを複数個縦収納可能に設けたケース本体を設け、ケース本体上面を覆うとともにティッシュペーパー取り出し孔を有し本体上面に対し開閉可能なる蓋を設け、一方、上記ティッシュペーパーを収納可能なる上部開放有底のティッシュペーパー収納箱を上記ケース内にて昇降可能サイズとして設け、ケース本体両側面上部に、ワイヤーを掛け渡すための回動体をケース本体に対し回動可能に保持してなる回動装置部を各々設け、前記ティッシュペーパー収納箱両側にワイヤーのー端を取り付けるとともにこのワイヤーを回動体に掛け渡してからケース外面近傍下方に垂下させ、この垂下したワイヤー端に対し、下向きの力を常に与える引張力付勢手段を設けることにより、ケース本体内最上部に位置するティッシュペーパーを上向きに押圧させて、ティッシュペーパーの常なる取り出しを可能とするよう構成したことを特徴とする昇降型ティッシュペーパー収納ケース。
【請求項２】
引張力付勢手段を、ケース本体外面に垂下したワイヤーにウエイトを取り付けるものとした請求項１記載の昇降型ティッシュペーパー収納ケース。
【請求項３】
ウエイト位置安定のために、ケース本体外面適所にガイド板を設けるとともに、このガイド坂内にウエイトを位置させるものとした請求項２記載の昇降型ティッシュペーパー収納ケース。
【請求項４】
引張力付勢手段を、バネ収納体としてなる請求項１記載の昇降型ティッシュペーパー収納ケース。
【請求項５】
ワイヤーに代えてベルトを用いてなる請求項１〜３のいずれかの項に記載の昇降型ティッシュペーパー収納ケース。
【発明の詳細な説明】
【技術分野】
【０００１】  この発明は、ケース内に複数個収納したティッシュペーパーを自動的に上方移動させて使用することのできるティッシュペーパー収納ケースに関する。
【背景技術】
【０００２】  従来より、ティッシュペーパーは多用されているが、本発明にて示すような昇降型のティッシュペーパーケースは見あたらない。
【発明の概要】
【発明が解決しようとする課題】
【０００３】  ティッシュペーパーは日常的必需品として多方面に用いられている。一般的には直方体形状の箱内に多数枚が積層収納され、箱上面に設けた孔より一枚ずつ取り出して用いている。ティッシュペーパーの使用頻度の高い場合は、すぐになくなるのでその都度新しいティッシュペーパーを用意しなければならず、そのために、使用中のティッシュペーパーとは別に、多数個のティッシュペーパーを準備保管しておく必要がある。とくに入院患者はこのティッシュペーパーを多く使うことが多々あるが、箱内のティッシュペーパーを管理して、なくなればすぐに補充しなければならず、人手を煩わせることになる。
本発明は以上に鑑み、複数個のティッシュペーパーを一つのケース内に収納するとともに、自動的にこのティッシュペーパーを上昇させる機能を設けることにて、前記の課題をクリヤーできる、新規かつ有用なる手段を得ることを目的として発明開発されたものである。
【課題を解決するための手段】
【０００４】  課題を解決する手段として本発明は以下の構成とした。
すなわち、一枚ごとに連続取り出し可能に箱もしくは包装体内に積層収納されたひとまとまりのティッシュペーパーを複数個縦収納可能に設けたケース本体を設け、ケース本体上面を覆うとともにティッシュペーパー取り出し孔を有し本体上面に対し開閉可能なる蓋を設け、一方、上記ティッシュペーパーを収納可能なる上部開放有底のティッシュペーパー収納箱を上記ケース内にて昇降可能サイズとして設け、ケース本体両側面上部に、ワイヤーを掛け渡すための回動体をケース本体に対し回動可能に保持してなる回動装置部を各々設け、前記ティッシュペーパー収納箱両側にワイヤーの一端を取り付けるとともにこのワイヤーを回動体に掛け渡してからケース外面近傍下方に垂下させ、この垂下したワイヤー端に対し、下向きの力を常に与える引張力付勢手段を設けることにより、ケース本体内最上部に位置するティッシュペーパーを上向きに押圧させて、ティッシュペーパーの常なる取り出しを可能とするよう構成する。
本発明は以上の構成よりなる昇降型ティッシュペーパー収納ケースである。
【発明の効果】
【０００５】  本発明は以下の効果を有する。
１．ケース内に複数のティッシュペーパーが積層されて位置し、このティッシュペーパー  の上向き方向の付勢手段を有しているので、連続的にティッシュペーパーを長期間にわ  たって使用することができる。
２．回動体とワイヤーを用いているので、ケース内のティッシュペーパー移動をスムース  に行うことができる。
３．ウエイトを外部から視認して、その上下位置を把握することにて、ケース内ティッシ  ュペーパーの量を知ることができる。
【図面の簡単な説明】
【０００６】
【図１】  本発明の構造説明図（拡大平面視・蓋図示略）
【図２】  本発明の構造説明図（正面視・蓋図示略）
【図３】  本発明の構造説明図（左側面視）
【図４】  本発明の要部構造説明図
【図５】  本発明の要部構造説明図
【図６】  本発明の要部構造説明図
【図７】  本発明の要部構造説明図
【図８】  本発明の他例説明図
【図９】  本発明の他例説明図
【図１０】  本発明の他例説明図
【発明を実施するための最良の形態】
【０００７】  以下、本発明の実施形態について説明する。
図において、１はケース本体で、上部開放の合成樹脂製中空直方体である。
２はガイド板で、平面視コ字形板体であり、図３のごとくその下端をケース本体と一致させてケース両側面短辺側に対向固着される。３は鉄製直方体形状のウエイトで、図３のごとくガイド板内を昇降可能に設けられる。４は略半円形金属線によるフックで、ウエイト上面に所定間隔を有して設けられる。５は鉄製のワイヤーで、その両端は逆Ｙ字形となり、その一方は上記フックに結びつけられ、他端は後述のティッシュペーパー収納箱に固着される。
６は回動装置部で、以下のごとく構成される。７は回動体としてのプーリーでＶ形溝を有し、その中心の孔にはプーリー軸８が固着される。９は軸保持具で、小平板中央より軸保持部分が立設されており、この軸保持部分内径はプーリー軸外径よりやや大きく、従ってこの軸保持部内にて軸は自由に回動する。また、軸のプーリー保持具近接個所には、軸の横移動防止のための環体が圧入される。このプーリー保持具の平板部分適所には取付のための孔が穿設され、前記ケース本体上部に設けた雌ねじにビス止めされる。
なお、このプーリー部分のケース本体個所には、切除部１０が形成され、この切除部下端近傍のケース外面には保護板１１が固着される。【０００８】  １２はティッシュペーパー収納箱で、ケース内を昇降可能サイズの上部開放有底の中空直方体である。このティッシュペーパー収納箱の両端側面には、前記ワイヤーの他端が固着される。ケース本体高さは、箱なしティッシュペーパーが複数個入るよう形成され、このティッシュペーパーはティッシュペーパー収納箱に最下の一個が収納され、その上に順に他のティッシュペーパーが積み重なってケース内に位置し、これらのティッシュペーパー収納箱とティッシュペーパーの総重量より前記のウエイト重量は大である。
なお、ケース本体上部には、その中央にティッシュペーパー取り出しのための楕円形孔１３を設けた蓋１４が開閉可能に設けられており、蓋の折曲片適所には一対の孔が穿設され、この孔に対応する位置のケース外面には、凸部（図示略）が突設され、この孔と凸部とがはまり合うことにて、蓋の閉状態が維持される。
以上が本発明の一実施形態である。【０００９】  本発明の使用に際しては、まずケース本体を床面その他の平面上に置き、蓋を開けてティッシュペーパー収納箱内にティッシュペーパーを入れる。このティッシュペーパーは箱なしの包装体形状のものが好ましい。
このティッシュペーパー上に次々とティッシュペーパーを積み重ねていき、最上位置のティッシュペーパーの包装体上部を破って最初のティッシュペーパー紙を露出させ、この露出したティッシュペーパーを蓋の孔より出るようにして蓋を閉める。
蓋は既述の手段にてケース本体に保持され、ウエイト重量による引張力を受け止めている。この状態において、蓋の孔よりティッシュペーパーが不定形に突出しており、従来のティッシュペーパーのごとく一枚ずつ取り出して使用することができる。
使用するにつれてティッシュペーパーは減少し、ティッシュペーパー包装体は押圧にて薄く変形していき、包装体内ティッシュペーパーがなくなればその包装体を除去し、次のティッシュペーパーを用いていく。このようにしてケース本体内のティッシュペーパーを使い切るまで次々とティッシュペーパーを使用し続けることができる。【００１０】  ティッシュペーパーは、ウエイトの重量による引張力がティッシュペーパー収納箱に作用し、従ってケース内のティッシュペーパーすべてにこの引張力が作用して常に上向きの力を受け、この力はティッシュペーパー収納箱とすべての収納ティッシュペーパーの重量より大であるために、この力が働き、既述のようにティッシュペーパーを使い続けることができる。すべてのティッシュペーパーを使い切ると、最初のセットのごとく、ティッシュペーパーをセットして再使用することができる。本品はプーリーとワイヤーを用いているので、ワイヤー位置は安定してスムースに動き、保護板を設けたので、ワイヤー摩擦によるケース本体の損傷を防止することができる。【００１１】  図８〜図１０は、本発明の他例を示すものである。図９〜図１０は、バネによる引張方式を用いたものである。図において、２０はバネ収納体で、短円柱形のケース内にワイヤーとゼンマイバネが内蔵されており、このバネ力にて引き出されたワイヤーに引張力を与える機能を有し、市販のメジャー等に用いられているものと同様の仕組みであり、ワイヤーを引き出すとゼンマイバネにて引張力が付勢される。
図８は、回動機構部の簡易型を示すものである。図において、３０は粘着シート、３１は軸、３２は小円筒体、３３はベルトである。図のごとく、ケース本体の切除部近傍内面に、粘着シートにて軸の両端近傍が粘着固定され、軸中央に、小円筒体が位置している。この円筒体は軸に対し回動自在であり、ベルトが掛け渡される。このベルトの一端は、既述のウエイトに固着され、他端はティッシュペーパー収納箱外面に固着される。従って、初例と同様の機能を発揮することができる。【００１２】  以上、本発明について記したが、本発明はケースに内蔵された複数個のティッシュペーパーを上向き押圧にて常に最上位置部分を蓋の直下に位置させ、次々と別のティッシュペーパーに切り替えて使用できるところにその特徴を有するものである。従来はこのようなものがなく、既述のごとく交換用のティッシュペーパーを用意保管しておかねばならなかったが、本発明にてさらに利便性に富む方式となったのである。
なお、記述例では本体ケースを合成樹脂製としたが、木製、金属製など他の素材にて制作してもよい。また、包装体方式のティッシュペーパーにて説明したが、箱形のティッシュペーパーでも利用可能である。
ワイヤーのウエイトおよびティッシュペーパー収納箱への取付は逆Ｙ形としているので、ティッシュペーパー等昇降時におけるティッシュペーパー収納箱およびウエイトの傾きは防止される。また、ガイド板内にウエイトが位置して、そのスムースな昇降を可能としている。記述例においては、ワイヤーをプーリーに掛け渡しているので、ワイヤー位置が安定しつつ滑らかなワイヤー移動ができる。【００１３】  ケース本体要所には切除部が設けられて、この切除個所にプーリーが位置して、コンパクトな構成を可能とし、かつ、切除部直下のケース外面には保護板が固着され、ワイヤー移動時にこの保護板にワイヤーが接するので、ケースの損傷は防止される。保護材質としては、硬度と滑らかさに富む樹脂が好ましい。
ティッシュペーパー収納箱上に次々とティッシュペーパーが積み重ねられて使用されるが、この積み重ねられたティッシュペーパーの長手方向移動はワイヤーにて規制され、横手方向は、ティッシュペーパー収納ケースとケース本体内面が近接しているので、そのずれは微少となって実用上差し支えないものとなっている。
本発明品は縦長スタイルにて、その平面視サイズはティッシュペーパーサイズに近いので、どこにでも置いて使用することができ、入院患者などティッシュペーパーを多用する場合に適したものとなっている。
なお、既述の例は実施の一例であって、近似の他の構成とすることができる。
以上のごとく、本発明によって長期間のティッシュペーパー連続使用を可能とする有用なる物品を得ることができる。
【符号の説明】
【００１１】１    ケース本体
２    ガイド板
３    ウエイト
４    フック
５    ワイヤー
６    回動装置部
７    プーリー
８    プーリー軸
９    軸保持具
１０  切除部
１１  保護板
１２  ティッシュペーパー収納箱
１３  楕円形孔
１４  蓋
２０  バネ収納体
３０  粘着シート
３１  軸
３２  小円筒体
３３  ベルト
３４  ティッシュペーパー
【図１】
2014114075.tif 000003
【図２】
2014114075.tif 000004
【図３】
2014114075.tif 000005
【図４】
2014114075.tif 000006
【図５】
2014114075.tif 000007
【図６】
2014114075.tif 000008
【図７】
2014114075.tif 000009
【図８】
2014114075.tif 000010
【図９】
2014114075.tif 000011
【図１０】
2014114075.tif 000012